(57)【要約】【課題】二次電池の寿命を縮めることとなる事象の発生を防止することにより、二次電池の寿命を長期化すること。【解決手段】テレビ１００のモニタ１１０は、バッテリーユニット４０２の充電を制御する充電制御部としての機能を有する制御回路２４０を備える。モニタ１１０は、ＡＣアダプタ４０４から電力が供給されているとき、当該ＡＣアダプタ４０４からの電力によるバッテリーユニット４０２の主充電を行う充電モード「モード１」と、ＡＣアダプタ４０４から電力が供給されているときであっても、当該ＡＣアダプタ４０４からの電力によるバッテリーユニット４０２の主充電を行わない充電モード「モード２」とを有する。【選択図】図５
2012239372.tif 000002
【特許請求の範囲】
【請求項１】
外部電源および二次電池の双方による駆動が可能な機器に用いられる前記二次電池の充電を制御する充電制御装置であって、
前記機器に対して前記外部電源から電力が供給されているとき、当該外部電源からの電力による前記二次電池の主充電を行う第１のモードと、
前記機器に対して前記外部電源から電力が供給されているときであっても、当該外部電源からの電力による前記二次電池の主充電を行わない第２のモードと
を有することを特徴とする充電制御装置。
【請求項２】
前記第１のモードにあり、かつ前記機器に対して前記外部電源から電力が供給されている状態が所定期間継続した場合、前記第２のモードに切り替えることを推奨する旨をユーザに通知する第１の通知部を備える
ことを特徴とする請求項１に記載の充電制御装置。
【請求項３】
前記第２のモードにある場合、前記二次電池の放電を行うことを推奨する旨をユーザに通知する第２の通知部を備える
ことを特徴とする請求項１または２に記載の充電制御装置。
【請求項４】
前記第２の通知部は、
前記第２のモードにある状態が所定期間継続した場合において、前記二次電池の電池残量が所定の上限値を超えている場合、前記二次電池の放電を行うことを推奨する旨をユーザに通知する
ことを特徴とする請求項３に記載の充電制御装置。
【請求項５】
前記第２の通知部が前記二次電池の放電を行うことを推奨する旨をユーザに通知した後、前記二次電池の放電を行う放電手段
をさらに備えることを特徴とする請求項３または４に記載の充電制御装置。
【請求項６】
前記第２のモードにある場合において、前記二次電池の電池残量が所定の範囲内にある場合、前記二次電池に対する予備充電を行う
ことを特徴とする請求項１から５のいずれか一項に記載の充電制御装置。
【請求項７】
前記電池残量が前記範囲の下限値まで減少した場合、前記予備充電を開始する
ことを特徴とする請求項６に記載の充電制御装置。
【請求項８】
前記第１のモードにおいては、前記外部電源と前記二次電池とを電気的に接続することにより、前記二次電池の主充電を行い、
前記第２のモードにおいては、前記外部電源と前記二次電池とを電気的に切断することにより、前記二次電池の主充電を行わない
ことを特徴とする請求項１から７のいずれか一項に記載の充電制御装置。
【請求項９】
請求項１から８のいずれか一項に記載の充電制御装置を備えたことを特徴とするテレビジョン受像機。
【請求項１０】
外部電源および二次電池の双方による駆動が可能な機器に用いられる前記二次電池の充電を制御する充電制御方法であって、
前記機器に対して前記外部電源から電力が供給されているとき、当該外部電源からの電力による前記二次電池の主充電を行う第１のモードと、
前記機器に対して前記外部電源から電力が供給されているときであっても、当該外部電源からの電力による前記二次電池の主充電を行わない第２のモードと
を有することを特徴とする充電制御方法。
【発明の詳細な説明】
【技術分野】
【０００１】
本発明は、二次電池を充電することができる充電制御装置、テレビジョン受像機、および充電制御方法に関する。
【背景技術】
【０００２】
近年、その容易な持ち運びが可能な家電製品、情報機器、通信機器等の機器の需要が高まっている。このため、上記機器の中には、バッテリー（二次電池）を内蔵しており、電源コードや電源アダプタをＡＣコンセントに接続しなくとも、バッテリー駆動による使用を可能とすることで、容易な持ち運びを実現しているものが多く存在する。
【０００３】
このような機器においては、バッテリー駆動時間の長時間化や、バッテリーの寿命の長期化が課題となっている。そこで、現在、このような課題を解決するための様々な技術が考案されている。
【０００４】
例えば、下記特許文献１には、電池残量監視部を備えた二次電池装置において、二次電池の電圧の低下時にスイッチ回路を遮断することにより、電池残量監視部への電源供給を停止する技術が開示されている。この技術によれば、電池残量監視部の消費電流が０になるので、二次電池装置の内部消費電流を低減することができ、その結果、バッテリー駆動時間が長時間化するとされている。
【先行技術文献】
【特許文献】
【０００５】
【特許文献１】特開２００１−２３８３５８号公報
【発明の概要】
【発明が解決しようとする課題】
【０００６】
ここで、二次電池は、満充電状態が長期間継続すると、その寿命が短くなる傾向がある。しかしながら、従来の技術では、ＡＣコンセントに機器が常時接続され、バッテリー駆動がほとんど行われない状態で機器が使用されていたとしても、外部電源から電力が供給されている限り、この電力による二次電池の充電が常に行われるようになっている。また、バッテリー駆動を行わないと、二次電池がほとんど放電されない。これらの結果、二次電池の満充電状態が長期間継続することとなってしまう。このため、従来の技術では、二次電池の寿命を長期化することができない。
【０００７】
本発明は、上記の問題に鑑みてなされたものであり、その目的は、二次電池の満充電状態が長期間継続する等といった二次電池の寿命を縮めることとなる事象の発生を防止することにより、二次電池の寿命を長期化することにある。
【課題を解決するための手段】
【０００８】
上記した課題を解決するため、本発明に係る充電制御装置は、外部電源および二次電池の双方による駆動が可能な機器に用いられる前記二次電池の充電を制御する充電制御装置であって、前記機器に対して前記外部電源から電力が供給されているとき、当該外部電源からの電力による前記二次電池の主充電を行う第１のモードと、前記機器に対して前記外部電源から電力が供給されているときであっても、当該外部電源からの電力による前記二次電池の主充電を行わない第２のモードとを有することを特徴とする。
【０００９】
本発明によれば、外部電源から電力が供給されているときであっても、充電制御装置のモードを第２のモードに設定しておくことにより、満充電状態に達するまで二次電池が充電され続けることを防止することができる。これにより、二次電池による機器の駆動が長期間行われていないにも関わらず、二次電池が充電され続け、その劣化原因となる満充電状態が長期間継続してしまうようなことが無いため、二次電池の寿命を長期化することができる。
【００１０】
ここで、「主充電」とは、満充電状態（電池残量が１００％又は略１００％の状態）となるまで二次電池を充電し続ける充電態様を示す。すなわち、二次電池による機器の駆動時間を長時間化できるように、可能な限り二次電池の電池残量を高める充電態様を示す。「主充電」以外の充電態様としては、例えば、「予備充電」が挙げられる。ここで、「予備充電」とは、満充電状態となる前に二次電池の充電を停止し、二次電池の電池残量を所定の値以下に抑える充電態様のことを指す。上記第２のモードは、少なくとも主充電を行わないモードであればよく、二次電池に対する一切の充電を行わないモードであってもよいし、主充電以外の態様の充電、例えば、二次電池に対する予備充電を行うモードであってもよい。
【００１１】
また、上記充電制御装置において、前記第１のモードにあり、かつ前記機器に対して前記外部電源から電力が供給されている状態が所定期間継続した場合、前記第２のモードに切り替えることを推奨する旨をユーザに通知する第１の通知部を備えることが好ましい。
【００１２】
この構成によれば、上記通知に応じて、ユーザが、二次電池が充電され続けないように充電制御装置の設定を第２のモードに切り替えることにより、より確実に二次電池の満充電状態が長期間継続することを防止することができる。この結果、二次電池の寿命が長期化することとなる。
【００１３】
また、上記充電制御装置において、前記第２のモードにある場合、前記二次電池の放電を行うことを推奨する旨をユーザに通知する第２の通知部を備えることが好ましい。
【００１４】
この構成によれば、上記通知に応じて、ユーザが、二次電池を放電するように機器を動作させたりする等により、二次電池の充電が行われていないにも関わらず二次電池の満充電状態が長期間継続することを防止することができる。この結果、二次電池の寿命が長期化することとなる。
【００１５】
また、上記充電制御装置において、前記第２の通知部は、前記第２のモードにある状態が所定期間継続した場合において、前記二次電池の電池残量が所定の上限値を超えている場合、前記二次電池の放電を行うことを推奨する旨をユーザに通知するが好ましい。
【００１６】
この構成によれば、二次電池の充電が行われていないにも関わらず、二次電池の電池残量が所定の上限値以上となっている状態が長期間継続しているような場合等、二次電池の放電をすることがより好ましい場合に、二次電池の放電を行うことを推奨する旨をユーザに通知することができる。
【００１７】
また、上記充電制御装置において、前記第２の通知部が前記二次電池の放電を行うことを推奨する旨をユーザに通知した後、前記二次電池の放電を行う放電手段をさらに備えることが好ましい。
【００１８】
この構成によれば、ユーザの手を煩わすことなく、二次電池の放電を行うことができる。また、ユーザへの通知後に、二次電池の放電を行うので、ユーザの意思に反して二次電池が放電されてしまうことを防止することができる。
【００１９】
また、上記充電制御装置において、前記第２のモードにある場合において、前記二次電池の電池残量が所定の範囲内にある場合、前記二次電池に対する予備充電を行うことが好ましい。
【００２０】
この構成によれば、二次電池が完全に放電しないように、二次電池の電池残量を維持することができる。これにより、二次電池の充電が長期間行われていない場合に、二次電池が自然放電することにより、二次電池がその劣化原因となる完全放電状態となってしまうようなことが無いため、二次電池の寿命を長期化することができる。
【００２１】
また、上記充電制御装置において、前記電池残量が前記範囲の下限値まで減少した場合、前記予備充電を開始することが好ましい。
【００２２】
二次電池の電池残量を維持するための予備充電の回数が多いほど二次電池が劣化することとなる。よって、この構成によれば、予備充電の回数を削減することができるので、二次電池の寿命を長期化することができる。
【００２３】
上記充電制御装置において、前記第１のモードにおいては、前記外部電源と前記二次電池とを電気的に接続することにより、前記二次電池の主充電を行い、前記第２のモードにおいては、前記外部電源と前記二次電池とを電気的に切断することにより、前記二次電池の主充電を行わないことが好ましい。
【００２４】
この構成によれば、例えば、外部電源からの電力が二次電池に供給される供給経路上にスイッチを設け、このスイッチのオン／オフを制御するだけといった簡単かつ確実な構成により、二次電池の主充電を行う／行わないを切り替えることができる。
【００２５】
また、本発明に係るテレビジョン受像機は、上記のいずれかに記載の充電制御装置を備えたことを特徴とする。
【００２６】
本発明によれば、テレビジョン受像機により、上記充電制御装置と同様の効果を奏することができる。
【００２７】
また、本発明に係る充電制御方法は、外部電源および二次電池の双方による駆動が可能な機器に用いられる前記二次電池の充電を制御する充電制御方法であって、前記機器に対して前記外部電源から電力が供給されているとき、当該外部電源からの電力による前記二次電池の主充電を行う第１のモードと、前記機器に対して前記外部電源から電力が供給されているときであっても、当該外部電源からの電力による前記二次電池の主充電を行わない第２のモードとを有することを特徴とする。
【００２８】
本発明によれば、当該充電制御方法を充電制御装置が実行することにより、上記充電制御装置と同様の効果を奏することができる。
【発明の効果】
【００２９】
本発明に係る充電制御装置、テレビジョン受像機、および充電制御方法によれば、機器に対して外部電源から電力が供給されているときに、当該外部電源からの電力による二次電池の主充電を行う第１のモードと、上記主充電を行わない第２のモードとを有するので、二次電池による機器の駆動を行っていないときには、第２のモードとしておくことで、二次電池が充電し続けられてしまうことを防止することができる。これにより、二次電池の満充電状態が長期間継続するという二次電池の寿命を縮めることとなる事象の発生を防止することができるので、二次電池の寿命を長期化することができる。
【図面の簡単な説明】
【００３０】
【図１】実施形態に係るテレビの装置構成を示す図である。
【図２】実施形態に係るモニタの構成を示すブロック図である。
【図３】実施形態に係るＳＴＢの構成を示すブロック図である。
【図４】実施形態に係る電源部の具体的な構成を示すブロック図である。
【図５】実施形態に係るモニタが有する充電モードを示す。
【図６】実施形態に係る充電制御部による充電制御処理の手順を示すフローチャートである。
【図７】実施形態に係るモニタが表示する非充電推奨画面の一例を示す。
【図８】実施形態に係るモニタが表示する放電推奨画面の一例を示す。
【図９】実施形態に係る充電制御部による予備充電制御処理の手順を示すフローチャートである。
【図１０】実施形態に係るモニタによる予備充電動作の一例を示す。
【図１１】実施形態に係るモニタおよびＳＴＢの電源の状態の遷移を示す図である。
【図１２】実施形態に係るモニタの電源の状態遷移と、ＳＴＢの電源の状態の遷移との関係を示す図である。
【図１３】実施形態に係るモニタが表示するバッテリー状態アイコンの一例を示す。
【図１４】実施形態に係るモニタによるバッテリー状態アイコンの表示例を示す。
【図１５】実施形態に係るモニタが表示するバッテリー残量警告画面の一例を示す。
【図１６】実施形態に係るモニタが表示するバッテリー残量警告画面の一例を示す。
【図１７】実施形態に係るモニタにおけるバッテリーの充電状態とインジケータの点灯パターンとの対応関係を示す。
【図１８】実施形態に係るモニタにおけるディスプレイの明るさの設定を示す。
【図１９】実施形態に係る電源部の構成の変形例を示すブロック図である。
【図２０】実施形態に係るモニタが表示する放電確認画面の一例を示す。
【図２１】実施形態に係るモニタの構成の変形例を示すブロック図である。
【図２２】実施形態に係る充電制御部による充電制御処理の手順の変形例を示すフローチャートである。
【発明を実施するための形態】
【００３１】
以下、本発明の実施形態について、図面を用いて説明する。
【００３２】
（テレビ１００の概要）
まず、本実施形態に係るテレビジョン受像システム（以下「テレビ」と略記）１００の概要について説明する。
【００３３】
図１は、実施形態に係るテレビ１００の装置構成を示す図である。図１に示すテレビ１００は、デジタルテレビ放送の放送波またはＢＳデジタル放送の放送波として送信された各種コンテンツを、対応するチューナ（デジタルテレビチューナまたはＢＳデジタルチューナ）によって受信し、このコンテンツを再生することができるいわゆるテレビジョン受像機である。このテレビ１００は、モニタ１１０およびＳＴＢ（セットトップボックス）１２０を備えて構成されている。
【００３４】
ＳＴＢ１２０には、地上デジタル放送およびＢＳ放送を受信するチューナが内蔵されている。ＳＴＢ１２０は、ＤＴＶ／ＢＳアンテナ１３０によって受信されたコンテンツを、このチューナを用いて取得する。そして、ＳＴＢ１２０は、取得したコンテンツをＤＲＭ（Ｄｉｇｉｔａｌ  Ｒｉｇｈｔｓ  Ｍａｎａｇｅｍｅｎｔ）技術を用いて暗号化する。そして、ＳＴＢ１２０は、無線通信により、得られた暗号化データをモニタ１１０に送信する。一方、モニタ１１０は、ＳＴＢ１２０から送信された暗号化データを受信して復号する。そして、モニタ１１０は、得られたコンテンツをディスプレイに表示する。
【００３５】
ＳＴＢ１２０とモニタ１１０との間の通信は、本実施形態が無線通信を採用しているように、無線通信であることが好ましい。これにより、モニタ１１０を設置する場所の自由度が増す。これにより、ＳＴＢ１２０との無線通信が可能なエリア内の任意の場所にモニタ１１０を設置することが可能になる。ＳＴＢ１２０とモニタ１１０との間の無線通信に好適な通信規格としては、例えば、ＩＥＥＥ８０２．１１シリーズなどが挙げられる。
【００３６】
ＳＴＢ１２０およびモニタ１１０には、外部機器を接続することができる。例えば、ＳＴＢ１２０は、自身に接続されたレコーダ１３２にコンテンツを録画したり、そのレコーダ１３２にて再生されたコンテンツを暗号化してモニタ１１０に送信したりすることができる。同様に、モニタ１１０は、自身に接続されたレコーダ１３３にコンテンツを録画したり、そのレコーダ１３３にて再生されたコンテンツをディスプレイに表示したりすることができる。
【００３７】
なお、ＳＴＢ１２０と外部機器との間の有線通信、および、モニタ１１０と外部機器との間の有線通信に好適な通信規格としては、例えば、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）（登録商標）などが挙げられる。
【００３８】
本実施形態においては、モニタ１１０として、液晶ディスプレイを採用しているが、これ以外にも、有機ＥＬディスプレイ、プラズマディスプレイ、ブラウン管ディスプレイ等が採用され得る。
【００３９】
（モニタ１１０の構成）
ここで、モニタ１１０の構成について説明する。図２は、実施形態に係るモニタ１１０の構成を示すブロック図である。
【００４０】
図２に示すように、モニタ１１０は、無線ＬＡＮモジュール２１２、デマルチプレクサ２１３、ＤＲＭ復号部２１４、制御回路２４０、パネルコントローラ２１８、ディスプレイ２１９、Ｈ．２６４符号化／復号化部２１５、ＨＤＭＩトランシーバ／レシーバ２１６、インジケータ２２０、および電源部２２４を含む装置である。
【００４１】
無線ＬＡＮモジュール２１２は、無線通信のための通信インターフェースである。無線ＬＡＮモジュール２１２にて受信した受信信号は、デマルチプレクサ２１３に供給される。デマルチプレクサ２１３は、受信信号から暗号化データを分離する。デマルチプレクサ２１３によって分離された暗号化データは、ＤＲＭ復号部２１４に供給される。ＤＲＭ復号部２１４は、暗号化データを復号することによって映像信号を得る。ＤＲＭ復号部２１４によって得られた映像信号は、制御回路２４０に供給される。
【００４２】
制御回路２４０は、ＣＰＵ、ＲＯＭ、ＲＡＭ等によって構成されており、ＲＯＭ、ＲＡＭ等に記録されているプログラムをＣＰＵが実行することにより、モニタ１１０の各部を制御する。例えば、制御回路２４０は、映像信号が表す映像にＯＳＤ（Ｏｎ−ｓｃｒｅｅｎ  Ｄｉｓｐｌａｙ）表示を重ね合わせたり、画質補正（ガンマカーブ制御やコントラスト制御など）を施したりする。制御回路２４０によって加工された映像信号は、パネルコントローラ２１８に供給される。
【００４３】
パネルコントローラ２１８は、加工された映像信号に基づいてディスプレイ２１９を構成する例えば液晶パネルを駆動する。
【００４４】
モニタ１１０にて再生中のコンテンツをレコーダ１３３に録画する場合、制御回路２４０は、ＤＲＭ復号部２１４によって得られた映像信号をＨ．２６４符号化／復号化部２１５にも供給する。Ｈ．２６４符号化／復号化部２１５は、この映像信号を符号化することによって符号化データを得る。Ｈ．２６４符号化／復号化部２１５によって得られた符号化データは、ＨＤＭＩトランシーバ／レシーバ２１６に供給される。ＨＤＭＩトランシーバ／レシーバ２１６は、符号化データをレコーダ１３３に送信する。
【００４５】
一方、レコーダ１３３にて再生中のコンテンツをモニタ１１０に表示する場合、ＨＤＭＩトランシーバ／レシーバ２１６は、符号化データをレコーダ１３３から受信する。Ｈ．２６４符号化／復号化部２１５は、この符号化データを復号することによって映像信号を得る。Ｈ．２６４符号化／復号化部２１５によって得られた映像信号は、制御回路２４０を介してパネルコントローラ２１８に供給される。パネルコントローラ２１８は、この映像信号に基づいてディスプレイ２１９を構成する液晶パネルを駆動する。
【００４６】
電源部２２４は、モニタ１１０の各部に対し、その動作に必要な電力を供給する。
【００４７】
インジケータ２２０は、制御回路２４０の制御により点灯する。これにより、インジケータ２２０は、モニタ１１０の状態等をユーザに通知する。
【００４８】
ここで、モニタ１１０は、電源ボタンを含むリモコン２５０、およびリモコン２５０により発せられた赤外光を受光するリモコン受光部２５２を有している。また、モニタ１１０の本体には、電源ボタンを含む操作ボタン２６０が設けられている。例えば、ユーザは、リモコン２５０または操作ボタン２６０を操作することによって、テレビ１００に対して、電源のＯＮ／ＯＦＦ、音量調整、入力切り替え、選局、各種設定、録画、再生等の操作を行うことができる。
【００４９】
なお、制御回路２４０は、充電制御部、電源状態切替部、およびバッテリー状態通知部としての機能を有している。それぞれの機能の詳細については後述する。
【００５０】
（ＳＴＢ１２０の構成）
次に、ＳＴＢ１２０の構成について説明する。図３は、実施形態に係るＳＴＢ１２０の構成を示すブロック図である。
【００５１】
図３に示すように、ＳＴＢ１２０は、チューナ３０２、デモジュレータ３０４、デマルチプレクサ３０６、制御回路３４０、ＤＲＭ暗号化部３０８、無線ＬＡＮモジュール３１０、Ｈ．２６４符号化／復号化部３１２、ＨＤＭＩトランシーバ／レシーバ３１４、インジケータ３２０、および電源部３２４を含む装置である。
【００５２】
チューナ３０２は、デジタルテレビ放送の放送波またはＢＳデジタル放送の放送波をＤＴＶ／ＢＳアンテナ１３０から受信する。チューナ３０２によって受信された映像データは、デモジュレータ３０４に供給される。
【００５３】
デモジュレータ３０４は、映像データを復調する。デモジュレータ３０４によって復調された映像データは、デマルチプレクサ３０６に供給される。デマルチプレクサ３０６は、映像データから映像信号を分離する。デマルチプレクサ３０６によって分離された映像信号は、制御回路３４０に供給される。
【００５４】
制御回路３４０は、ＣＰＵ、ＲＯＭ、ＲＡＭ等によって構成されており、ＲＯＭ、ＲＡＭ等に記録されているプログラムをＣＰＵが実行することにより、ＳＴＢ１２０の各部を制御する。例えば、制御回路３４０は、映像信号が表す映像にＯＳＤ（Ｏｎ−ｓｃｒｅｅｎ  Ｄｉｓｐｌａｙ）表示を重ね合わせたり、画質補正（ガンマカーブ制御やコントラスト制御など）を施したりする。
【００５５】
制御回路３４０によって加工された映像信号は、ＤＲＭ暗号化部３０８へ供給される。ＤＲＭ暗号化部３０８は、映像信号を暗号化することによって暗号化データを得る。ＤＲＭ暗号化部３０８によって得られた暗号化データは、無線ＬＡＮモジュール３１０に供給される。無線ＬＡＮモジュール３１０は、無線通信のための通信インターフェースである。無線ＬＡＮモジュール３１０は、暗号化データをモニタ１１０に送信する。
【００５６】
ＳＴＢ１２０にて再生中のコンテンツをレコーダ１３２に録画する場合、制御回路３４０は、デマルチプレクサ３０６によって得られた映像信号をＨ．２６４符号化／復号化部３１２にも供給する。Ｈ．２６４符号化／復号化部３１２は、この映像信号を符号化することによって符号化データを得る。Ｈ．２６４符号化／復号化部２１５によって得られた符号化データは、ＨＤＭＩトランシーバ／レシーバ３１４に供給される。ＨＤＭＩトランシーバ／レシーバ３１４は、符号化データをレコーダ１３２に送信する。
【００５７】
一方、レコーダ１３２にて再生中のコンテンツをモニタ１１０に表示する場合、ＨＤＭＩトランシーバ／レシーバ３１４は、符号化データをレコーダ１３２から受信する。Ｈ．２６４符号化／復号化部３１２は、この符号化データを復号することによって映像信号を得る。Ｈ．２６４符号化／復号化部３１２によって得られた映像信号は、制御回路３４０を介してＤＲＭ暗号化部３０８に供給される。
【００５８】
ＤＲＭ暗号化部３０８は、映像信号を暗号化することによって暗号化データを得る。ＤＲＭ暗号化部３０８によって得られた暗号化データは、無線ＬＡＮモジュール３１０に供給される。無線ＬＡＮモジュール３１０は、暗号化データをモニタ１１０に送信する。
【００５９】
電源部３２４は、ＳＴＢ１２０の各部に対し、その動作に必要な電力を供給する。
【００６０】
インジケータ３２０は、制御回路３４０の制御により点灯する。これにより、インジケータ３２０は、ＳＴＢ１２０の状態等をユーザに通知する。
【００６１】
ここで、ＳＴＢ１２０の本体には、電源ボタンを含む操作ボタン３５０が設けられている。例えば、ユーザは、この操作ボタン３５０を操作することによって、ＳＴＢ１２０に対して、電源のＯＮ／ＯＦＦ等の操作を行うことができる。
【００６２】
なお、制御回路３４０は、電源状態切替部としての機能を有している。この機能の詳細については後述する。
【００６３】
（電源部２２４の具体的な構成）
ここで、電源部２２４の具体的な構成について説明する。図４は、実施形態に係る電源部２２４の具体的な構成を示すブロック図である。図４に示すように、電源部２２４は、バッテリーユニット４０２、ＡＣアダプタ４０４、充電回路４０６、スイッチ４０８、およびスイッチ４１０を有している。
【００６４】
ＡＣアダプタ４０４は、モニタ１１０の本体の外部に設けられている。ＡＣアダプタ４０４は、モニタ１１０の本体からの着脱が可能である。一方、バッテリーユニット４０２、充電回路４０６、スイッチ４０８、およびスイッチ４１０は、モニタ１１０の本体に内蔵されている。
【００６５】
図４において、実線で示された接続線は、電源（ＡＣアダプタ４０４またはバッテリーユニット４０２）から供給される電力の供給経路を示す。一方、点線矢印で示された接続線は、各種制御信号の伝送経路を示す。
【００６６】
ＡＣアダプタ４０４（外部電源）は、ＡＣコンセントに接続され、当該モニタ１１０の駆動用、およびバッテリーユニット４０２の充電用の電力を供給する。バッテリーユニット４０２（二次電池）は、当該モニタ１１０の駆動用の電力を供給する。
【００６７】
モニタ１１０は、バッテリーユニット４０２から供給された電力によって動作することが可能である。また、モニタ１１０は、ＡＣアダプタ４０４（外部電源）が接続される電源入力端子が設けられており、この電源入力端子を介してＡＣアダプタ４０４から供給された電力によって動作することも可能である。
【００６８】
さらに、モニタ１１０は、充電装置としての機能を有しており、ＡＣアダプタ４０４から供給された電力によって、バッテリーユニット４０２を充電することが可能である。
【００６９】
充電回路４０６は、ＡＣアダプタ４０４から供給された電力を用いて、バッテリーユニット４０２を充電する。
【００７０】
スイッチ４０８は、ＡＣアダプタ４０４からの電力の供給経路と、バッテリーユニット４０２からの電力の供給経路とで、接続先を切り替えることにより、モニタ１１０の駆動用の電力の供給元を、ＡＣアダプタ４０４とバッテリーユニット４０２とで切り替える。
【００７１】
スイッチ４１０は、バッテリーユニット４０２からの電力の供給経路上に設けられており、オン／オフ状態となることにより、上記供給経路を接続／切断する。
【００７２】
制御回路２４０の充電制御部は、ＡＣアダプタ４０４から供給された電力によるバッテリーユニット４０２の充電を制御する。具体的には、充電制御部は、充電回路４０６、スイッチ４０８、およびスイッチ４１０を制御することにより、バッテリーユニット４０２の充電を制御する。充電制御部による具体的な制御については、図５以降で説明する。
【００７３】
（充電モードの設定）
モニタ１１０は、複数の充電モードを有する。充電制御部は、その充電モードに応じて、バッテリーユニット４０２の充電動作を異ならせる。図５は、実施形態に係るモニタ１１０が有する充電モードを示す。
【００７４】
本実施形態のモニタ１１０は、充電モードとして「モード１」（第１のモード）および「モード２」（第２のモード）を有する。「モード１」は、ＡＣアダプタ４０４から電力が供給されているとき、この電力を用いてバッテリーユニット４０２を充電するモードである。一方、「モード２」は、ＡＣアダプタ４０４から電力が供給されているときであっても、バッテリーユニット４０２を充電しないモードである。いずれのモードにおいても、モニタ１１０は、ＡＣアダプタ４０４から供給された電力による駆動が可能であり、ＡＣアダプタ４０４から供給された電力によって駆動せずに待機することも可能である。
【００７５】
例えば、充電制御部は、「モード１」においては、充電回路４０６の主充電機能をオンに切り替えることにより、ＡＣアダプタ４０４からの電力によるバッテリーユニット４０２の主充電を充電回路４０６に行わせる。一方、「モード２」においては、充電回路４０６の主充電機能をオフに切り替えることにより、ＡＣアダプタ４０４からの電力によるバッテリーユニット４０２の主充電を充電回路４０６に行わせない。
【００７６】
なお、複数の充電モードのうちのいずれを有効とするかの設定は、その内容を示す設定情報として、モニタ１１０が備えるメモリ等の記録媒体に格納されている。ユーザは、例えば、リモコン２５０を操作することにより、「モード１」または「モード２」のいずれか任意の充電モードを選択して有効にすることができる。充電制御部は、この設定情報を読み取ることにより、いずれの充電モードで動作すべきかを判断する。
【００７７】
（メッセージの通知）
既に説明したとおり、二次電池は、満充電状態が長期間継続すると、その寿命が短くなる傾向がある。また、二次電池は、放電された状態が長時間継続することによっても、その寿命が短くなる傾向がある。
【００７８】
そこで、充電制御部は、二次電池の満充電状態が長期間継続しないように、バッテリーユニット４０２の充電を行わないことを推奨する旨のメッセージが示された画面（以下、「非充電推奨画面」と示す。）をディスプレイ２１９に表示する。すなわち、充電制御部は、第１の通知部としての機能を有している。
【００７９】
また、充電制御部は、バッテリーユニット４０２の放電を行うことを推奨する旨のメッセージが示された画面（以下、「放電推奨画面」と示す。）をディスプレイ２１９に表示する。すなわち、充電制御部は、第２の通知部としての機能有している。
【００８０】
例えば、充電制御部は、充電モードが「モード１」にあり、かつ当該モニタ１１０がＡＣアダプタ４０４からの電力により駆動された状態が、所定期間継続した場合、非充電推奨画面をディスプレイ２１９に表示する。
【００８１】
すなわち、充電制御部は、バッテリー駆動を所定期間行っていないにも関わらず、バッテリーユニット４０２に対する充電が行われている場合、非充電推奨画面をディスプレイ２１９に表示する。
【００８２】
本実施形態では、上記所定期間を「３０日」としているが、これに限定するものではない。
【００８３】
また、充電制御部は、充電モードが「モード２」にある状態が所定期間継続した場合において、バッテリーユニット４０２の電池残量（充電レベル）が所定値を超えている場合、放電推奨画面をディスプレイ２１９に表示する。
【００８４】
すなわち、充電制御部は、バッテリーユニット４０２に対する充電を所定期間行っていないにも関わらず、バッテリーユニット４０２の電池残量が所定値を超えている場合、非充電推奨画面をディスプレイ２１９に表示する。
【００８５】
本実施形態では、上記所定期間を「１４日」としているが、これに限定するものではない。
【００８６】
（充電制御処理の手順）
以下、その処理の手順について具体的に説明する。図６は、実施形態に係る充電制御部による充電制御処理の手順を示すフローチャートである。
【００８７】
まず、充電制御部は、充電モード設定を読み取ることにより、バッテリーユニット４０２に対する充電を行うべきか否かを判断する（ステップＳ６０２）。具体的には、充電モードとして「モード１」が設定されていれば、バッテリーユニット４０２に対する充電を行うべきと判断し、充電モードとして「モード２」が設定されていれば、バッテリーユニット４０２に対する充電を行うべきではないと判断する。
【００８８】
ステップＳ６０２において、バッテリーユニット４０２に対する充電を行うべきと判断した場合（ステップＳ６０２：Ｙｅｓ）、充電制御部は、ＡＣアダプタ４０４が接続されているか否かを判断する（ステップＳ６０４）。
【００８９】
ステップＳ６０４において、ＡＣアダプタ４０４が接続されていないと判断した場合（ステップＳ６０４：Ｎｏ）、充電制御部は、タイマ機能によるバッテリーユニット４０２が満充電である期間（以下、「満充電期間」と示す。）の計測をクリアし（ステップＳ６１４）、充電制御処理を終了する。
【００９０】
一方、ステップＳ６０４において、ＡＣアダプタ４０４が接続されていると判断した場合（ステップＳ６０４：Ｙｅｓ）、充電制御部は、ＡＣアダプタ４０４から供給された電力を用いてバッテリーユニット４０２に対する充電を引き続き行うとともに（ステップＳ６０６）、タイマ機能による満充電期間の計測を引き続き行う（ステップＳ６０８）。
【００９１】
上記ステップＳ６０６において、まだ充電が開始されていなければ、ステップＳ６０６の処理は、「バッテリーユニット４０２に対する充電を開始する」となる。また、上記ステップＳ６０８において、まだ計測が開始されていなければ、ステップＳ６０８の処理は、「タイマ機能による満充電期間の計測を開始する」となる。
【００９２】
その後、充電制御部は、タイマ機能によって計測された満充電期間が３０日を経過したか否かを判断する（ステップＳ６１０）。
【００９３】
ステップＳ６１０において、満充電期間が３０日を経過したと判断した場合（ステップＳ６１０：Ｙｅｓ）、充電制御部は、図７に示すような非充電推奨画面をディスプレイ２１９に表示する（ステップＳ６１２）。そして、充電制御部は、タイマ機能による満充電期間の計測をクリアし（ステップＳ６１４）、充電制御処理を終了する。
【００９４】
一方、ステップＳ６１０において、満充電期間が３０日を経過していないと判断した場合（ステップＳ６１０：Ｎｏ）、充電制御部は、充電制御処理を終了する。
【００９５】
ステップＳ６０２において、バッテリーユニット４０２に対する充電を行わないと判断した場合（ステップＳ６０２：Ｎｏ）、充電制御部は、バッテリーユニット４０２の電池残量が所定値を超えているか否かを判断する（ステップＳ６２０）。
【００９６】
ステップＳ６２０において、上記電池残量が所定値を超えていないと判断した場合（ステップＳ６２０：Ｎｏ）、充電制御部は、タイマ機能による満充電期間の計測をクリアし（ステップＳ６２８）、充電制御処理を終了する。
【００９７】
一方、ステップＳ６２０において、上記電池残量が所定値を超えていると判断した場合（ステップＳ６２０：Ｙｅｓ）、充電制御部は、タイマ機能による満充電期間の計測を引き続き行う（ステップＳ６２２）。そして、充電制御部は、タイマ機能によって計測された満充電期間が１４日を経過したか否かを判断する（ステップＳ６２４）。
【００９８】
ステップＳ６２４において、満充電期間が１４日を経過したと判断した場合（ステップＳ６２４：Ｙｅｓ）、充電制御部は、図８に示すような放電推奨画面をディスプレイ２１９に表示する（ステップＳ６２６）。そして、充電制御部は、タイマ機能による満充電期間の計測をクリアし（ステップＳ６２８）、充電制御処理を終了する。
【００９９】
一方、ステップＳ６２４において、満充電期間が１４日を経過していないと判断した場合（ステップＳ６２４：Ｎｏ）、充電制御部は、充電制御処理を終了する。
【０１００】
充電制御部は、上記充電制御処理を繰り返し行う。これにより、適時、バッテリーユニット４０２を満充電にしないように、また、バッテリーユニット４０２を放電するように、ユーザに対して促すことができる。
【０１０１】
なお、充電制御部は、上記処理を繰り返し行うようにしても良く、所定のタイミングで行うようにしても良い。この所定のタイミングには、例えば、電源の状態を「ＯＮ」から「ＯＦＦ」または「ＳＴＢＹ（スタンバイ）」へ切り替えるタイミングや、電源の状態を「ＯＦＦ」または「ＳＴＢＹ（スタンバイ）」から「ＯＮ」へ切り替えるタイミング等が採用され得る。
【０１０２】
（非充電推奨画面の一例）
図７は、実施形態に係るモニタ１１０が表示する非充電推奨画面の一例を示す。図７に示す画面７００は、非充電推奨画面である。この画面７００には、バッテリーユニット４０２の充電を行わないことを推奨する旨のメッセージが示されている。モニタ１１０は、バッテリーユニット４０２に対する充電が行われている状態が所定期間続くと、この画面７００をディスプレイ２１９に表示する。
【０１０３】
図７に示す例では、画面７００には、バッテリーユニット４０２の充電を行うか否かを選択するためのボタン７０２およびボタン７０４が含まれている。ボタン７０２が選択されると、モニタ１１０は、引き続きバッテリーユニット４０２の主充電を行うように、充電モードを「モード１」のままにしておく。一方、ボタン７０４が選択されると、モニタ１１０は、以降バッテリーユニット４０２の主充電を行わないように、充電モードを「モード２」に切り替える。
【０１０４】
（放電推奨画面の一例）
図８は、実施形態に係るモニタ１１０が表示する放電推奨画面の一例を示す。図８に示す画面８００は、放電推奨画面である。この画面８００には、バッテリーユニット４０２の放電を推奨する旨のメッセージが示されている。モニタ１１０は、バッテリーユニット４０２の電池残量が所定値以上である状態が所定期間続くと、この画面８００をディスプレイ２１９に表示する。
【０１０５】
この画面８００に示されている上記メッセージの内容を確認したユーザは、このメッセージに従い、ＡＣアダプタ４０４をモニタ１１０あるいはＡＣコンセントから取り外し、モニタ１１０をバッテリー駆動へ切り替えることにより、バッテリーユニット４０２を放電することができる。
【０１０６】
（効果）
以上のように、本実施形態のモニタ１１０は、バッテリーユニット４０２に対して充電が行われている状態が所定期間続いた場合、バッテリーユニット４０２を充電しないようにする旨のメッセージをユーザに通知する。また、バッテリーユニット４０２の電池残量が所定値以上である状態が所定期間続いた場合、バッテリーユニット４０２を放電する旨のメッセージをユーザに通知する。
【０１０７】
これに応じて、ユーザが、バッテリーユニット４０２を充電しないようにモニタ１１０の設定を切り替えたり、バッテリーユニット４０２を放電するようにモニタ１１０を動作させたりすることにより、バッテリーユニット４０２の満充電状態が長期間継続することを防止することができる。この結果、バッテリーユニット４０２の寿命が長期化することとなる。
【０１０８】
（予備充電）
続いて、モニタ１１０が有する予備充電機能について説明する。予備充電とは、バッテリーユニット４０２が放電しすぎることを防止するための充電である。バッテリーユニット４０２の予備充電は、充電制御部によって制御される。
【０１０９】
具体的には、モニタ１１０は、バッテリーユニット４０２の電池残量が所定の範囲内にある場合、バッテリーユニット４０２に対し、電池残量がさらに減少することを防止するための予備充電を行う。特に、モニタ１１０は、バッテリーユニット４０２の電池残量が上記範囲の下限値まで減少した場合、上記予備充電を開始する。すなわち、バッテリーユニット４０２の電池残量が上記範囲にあったとしても、それが上記下限値まで減少していない場合は、上記予備充電を開始しない。
【０１１０】
本実施形態では、上記範囲の下限値を「０％」としており、上記範囲の上限値を「８％」としている。ここで言う「０％」は放電終止電圧に相当するものであって、バッテリーユニットの出力電圧が０Ｖになることではない。そして、上限値は電池残量アイコン表示（図１３参照）が変化しないレベルでなるべく多い値に設定することで、ユーザに意識させることなく予備充電を行えるようにする。
【０１１１】
また、本実施形態では、モニタ１１０は、電源の状態が「ＯＮ」の場合に限り、予備充電を行うようにしている。
【０１１２】
（予備充電制御処理の手順）
以下、その処理の手順について具体的に説明する。図９は充電制御部による予備充電制御処理の手順を示すフローチャートである。
【０１１３】
まず、充電制御部は、予備充電中か否かが示された予備充電ステータスに「予備充電中」が設定されているか否かを判断する（ステップＳ９０２）。
【０１１４】
ステップＳ９０２において、「予備充電中」が設定されていないと判断した場合（ステップＳ９０２：Ｎｏ）、充電制御部は、バッテリーユニット４０２の電池残量が０％であるか否かを判断する（ステップＳ９０４）。
【０１１５】
ステップＳ９０４において、電池残量が０％でないと判断した場合（ステップＳ９０４：Ｎｏ）、充電制御部は、予備充電制御処理を終了する。
【０１１６】
一方、ステップＳ９０４において、電池残量が０％であると判断した場合（ステップＳ９０４：Ｙｅｓ）、充電制御部は、モニタ１１０が電源ＯＮ中であるか否かを判断する（ステップＳ９０６）。
【０１１７】
ステップＳ９０６において、電源ＯＮ中でないと判断した場合（ステップＳ９０６：Ｎｏ）、充電制御部は、予備充電制御処理を終了する。
【０１１８】
一方、ステップＳ９０６において、電源ＯＮ中であると判断した場合（ステップＳ９０６：Ｙｅｓ）、充電制御部は、バッテリーユニット４０２の予備充電を開始する（ステップＳ９０８）。そして、充電制御部は、バッテリーユニット４０２を予備充電するための充電電圧および充電電流を設定するとともに（ステップＳ９１０，Ｓ９１２）、予備充電ステータスに「予備充電中」を設定し（ステップＳ９１４）、予備充電制御処理を終了する。
【０１１９】
ステップＳ９０２において、「予備充電中」が設定されていると判断した場合（ステップＳ９０２：Ｙｅｓ）、充電制御部は、バッテリーユニット４０２の電池残量が８％以上であるか否かを判断する（ステップＳ９２０）。
【０１２０】
ステップＳ９２０において、電池残量が８％以上であると判断した場合（ステップＳ９２０：Ｙｅｓ）、充電制御部は、処理をステップＳ９２４へ進める。
【０１２１】
一方、ステップＳ９２０において、電池残量が８％以上でないと判断した場合（ステップＳ９２０：Ｎｏ）、充電制御部は、充電制御部は、モニタ１１０が電源ＯＮ中であるか否かを判断する（ステップＳ９２２）。
【０１２２】
ステップＳ９２２において、電源ＯＮ中であると判断した場合（ステップＳ９２２：Ｙｅｓ）、充電制御部は、予備充電制御処理を終了する。
【０１２３】
一方、ステップＳ９２２において、電源ＯＮ中でないと判断した場合（ステップＳ９２２：Ｎｏ）、充電制御部は、処理をステップＳ９２４へ進める。
【０１２４】
ステップＳ９２４において、充電制御部は、バッテリーユニット４０２の予備充電を終了するために充電電圧を０Ｖに設定する（ステップＳ９２４）。これとともに、充電制御部は、バッテリーユニット４０２の予備充電を終了するために充電電流を０ｍＡに設定する（ステップＳ９２６）。
【０１２５】
そして、充電制御部は、バッテリーユニット４０２の予備充電を終了する。
【０１２６】
（予備充電動作の一例）
次に、モニタ１１０による予備充電動作の一例を説明する。図１０は、実施形態に係るモニタ１１０による予備充電動作の一例を示す。図１０に示すように、本実施形態のモニタ１１０は、バッテリーユニット４０２の電池残量が０％（下限値）〜８％（上限値）の間で維持されるように、バッテリーユニット４０２の予備充電を行う。
【０１２７】
例えば、モニタ１１０は、図１０のタイミングｔ１，ｔ３，ｔ５に示すように、バッテリーユニット４０２の電池残量が自然放電により０％まで低下すると、バッテリーユニット４０２の予備充電を開始する。
【０１２８】
また、モニタ１１０は、図１０のタイミングｔ２，ｔ６に示すように、バッテリーユニット４０２の電池残量が予備充電により８％にまで上昇すると、当該予備充電を終了する。
【０１２９】
先にも説明したとおり、本実施形態においては、モニタ１１０は、電源の状態が「ＯＮ」の場合に限り、予備充電を行うようにしている。したがって、モニタ１１０は、図１０のタイミングｔ４に示すように、バッテリーユニット４０２の予備充電を開始した後、バッテリーユニット４０２の電池残量が８％にまで上昇しなくとも、電源の状態が「ＯＦＦ」または「ＳＴＢＹ（スタンバイ）」に切り替えられると、バッテリーユニット４０２の予備充電を終了する。
【０１３０】
なお、モニタ１１０は、バッテリーユニット４０２の出力電圧（Ｖ）と電池残量（ｍＡｈ）との対応関係を示すテーブルを有している。そして、モニタ１１０は、このテーブルを参照することによって、バッテリーユニット４０２の出力電圧からバッテリーユニット４０２の電池残量を推定する。
【０１３１】
バッテリーユニット４０２の電池残量を得る方法は上記に限らない。例えば、バッテリーユニット４０２が自らの電池残量を測定する機能を有している場合、モニタ１１０は、バッテリーユニット４０２にその電池残量を問い合せることにより、当該電池残量を得るようにしても良い。
【０１３２】
（効果）
以上のように、本実施形態のモニタ１１０は、バッテリーユニット４０２の電池残量が所定の範囲内にある場合、バッテリーユニット４０２に対し、電池残量がさらに減少することを防止するための予備充電を行うこととした。
【０１３３】
これにより、バッテリーユニット４０２が完全に放電しないように、バッテリーユニット４０２の電池残量を維持することができる。これにより、バッテリーユニット４０２が長期間充電されていない場合に、その劣化原因となる完全放電状態となってしまうようなことが無いため、バッテリーユニット４０２の寿命を長期化することができる。
【０１３４】
特に、本実施形態のモニタ１１０は、バッテリーユニット４０２の電池残量が上記範囲の下限値まで減少した場合、バッテリーユニット４０２に対し、予備充電を開始することとした。
【０１３５】
これにより、予備充電の回数を削減することができるので、バッテリーユニット４０２の寿命をより長期化することができる。
【０１３６】
（テレビ１００のさらなる機能）
続いて、モニタ１１０が有するさらなる機能について説明する。既に説明したとおり、モニタ１１０の制御回路２４０は、充電制御部としての機能だけでなく、電源状態切替部およびバッテリー状態通知部としての機能を有している。また、ＳＴＢ１２０の制御回路２３０は、電源状態切替部としての機能を有している。以下、上記各機能について、具体的に説明する。まず、モニタ１１０の電源状態切替部としての機能およびＳＴＢ１２０の電源状態切替部としての機能について説明する。
【０１３７】
（モニタ１１０の電源状態切替部）
モニタ１１０の電源状態切替部は、モニタ１１０の電源の状態を切り替える。具体的には、モニタ１１０の電源状態切替部は、ユーザがリモコン２５０あるいは本体に設けられた電源ボタンを押下したことに応じて、モニタ１１０の電源の状態を切り替える。
【０１３８】
（ＳＴＢ１２０の電源状態切替部）
ＳＴＢ１２０の電源状態切替部は、ＳＴＢ１２０の電源の状態を切り替える。具体的には、ＳＴＢ１２０の電源状態切替部は、ユーザがＳＴＢ１２０の本体に設けられた電源ボタンを押下したことに応じて、ＳＴＢ１２０の電源の状態を切り替える。
【０１３９】
ここで、ＳＴＢ１２０の電源状態切替部は、モニタ１１０の電源の状態の切り替えに連動して、ＳＴＢ１２０の電源の状態を切り替えることもできる。具体的には、モニタ１１０の電源状態切替部は、モニタ１１０の電源の状態を切り替えると、無線通信を介して、制御信号をＳＴＢ１２０へ送信する。ＳＴＢ１２０の電源状態切替部は、この制御信号を受信すると、この制御信号の内容（すなわち、モニタ１１０においてどのように電源の状態が切り替えられたか）に応じて、ＳＴＢ１２０の電源の状態を切り替える。
【０１４０】
（モニタ１１０の電源の状態）
ここで、モニタ１１０およびＳＴＢ１２０が成し得る電源の状態について説明する。モニタ１１０の電源の状態としては「ＯＮ」、「ＯＦＦ」、および「ＳＴＢＹ（スタンバイ）」がある。「ＯＮ」は、ディスプレイ２１９が駆動され、コンテンツの視聴が可能な状態である。「ＯＦＦ」および「ＳＴＢＹ（スタンバイ）」は、ディスプレイ２１９の駆動が停止され、コンテンツの視聴が不可能な状態である。
【０１４１】
「ＯＦＦ」と「ＳＴＢＹ（スタンバイ）」との相違点は、以下のとおりである。「スタンバイ」は、リモコン２５０に設けられた電源ボタン、および本体に設けられた電源ボタンの双方による電源の切り替え操作を受け付ける。一方、「ＯＦＦ」は、リモコン２５０に設けられた電源ボタンによる電源の切り替え操作を受け付けず、本体に設けられた電源ボタンによる電源の切り替え操作のみを受け付ける。
【０１４２】
また、テレビ番組の視聴予約が設定されている場合、「ＳＴＢＹ（スタンバイ）」は、この視聴開始時刻が到来すると、自動的に電源が「ＯＮ」となり、テレビ番組の視聴が可能となる。一方、「ＯＦＦ」は、この視聴開始時刻が到来しても、自動的に電源が「ＯＮ」になることはない。
【０１４３】
モニタ１１０の電源の状態は、本体に設けられたインジケータ２２０（ＬＥＤ照明）によって示される。例えば、電源が「ＯＮ」の場合、インジケータ２２０は緑色に点灯する。また、電源が「ＳＴＢＹ（スタンバイ）」の場合において、視聴予約が設定されている場合、インジケータ２２０は橙色に点灯する。また、電源が「ＳＴＢＹ（スタンバイ）」の場合において、視聴予約が設定されていない場合、インジケータ２２０は赤色に点灯する。例えば、電源が「ＯＦＦ」の場合、インジケータ２２０は点灯しない。
【０１４４】
（ＳＴＢ１２０の電源の状態）
一方、ＳＴＢ１２０の電源の状態としては「ＯＮ」、「ＯＦＦ」、および「ＳＴＢＹ（スタンバイ）」がある。「ＯＮ」は、放送波の受信や映像信号の送信等といった、コンテンツを視聴するための一連の動作が可能な状態である。「ＯＦＦ」および「ＳＴＢＹ（スタンバイ）」は、上記一連の動作が不可能な状態である。
【０１４５】
「ＯＦＦ」と「ＳＴＢＹ（スタンバイ）」との相違点は、以下のとおりである。「ＳＴＢＹ（スタンバイ）」は、モニタ１１０との連動による電源の切り替え操作、および当該ＳＴＢ１２０の本体に設けられた電源ボタンによる電源の切り替え操作の双方を受け付ける。一方、「ＯＦＦ」は、モニタ１１０からの連動による電源の切り替え操作を受け付けず、当該ＳＴＢ１２０本体に設けられた電源ボタンによる電源の切り替え操作のみを受け付ける。
【０１４６】
また、テレビ番組等の録画予約が設定されている場合、「ＳＴＢＹ（スタンバイ）」は、この録画開始時刻が到来すると、電源の状態を切り替えることなく、テレビ番組等のバッググラウンド録画を開始する。一方、「ＯＦＦ」は、この録画開始時刻が到来しても、テレビ番組等の録画を開始することはない。
【０１４７】
ＳＴＢ１２０の電源の状態は、本体に設けられたインジケータ３２０（ＬＥＤ照明）によって示される。例えば、電源が「ＯＮ」の場合、インジケータ３２０は緑色に点灯する。また、電源が「ＳＴＢＹ（スタンバイ）」の場合において、録画予約が設定されている場合、インジケータ３２０は橙色に点灯する。また、電源が「ＳＴＢＹ（スタンバイ）」の場合において、録画予約が設定されていない場合、インジケータ３２０は赤色に点灯する。例えば、電源が「ＯＦＦ」の場合、インジケータ３２０は点灯しない。
【０１４８】
（モニタ１１０の電源の状態の遷移）
図１１は、実施形態に係るモニタ１１０およびＳＴＢ１２０の電源の状態の遷移を示す図である。
【０１４９】
図１１に示すとおり、モニタ１１０の電源状態切替部は、モニタ１１０の電源の状態を切り替える際、その時のモニタ１１０の電源の状態によって、異なる切り替え動作を行う。
【０１５０】
また、モニタ１１０の電源状態切替部は、モニタ１１０の電源の状態を切り替える際、ユーザがリモコン２５０の電源ボタンを押下した場合と、本体の電源ボタンを押下した場合とで、異なる切り替え動作を行う。
【０１５１】
例えば、ユーザが本体の電源ボタンを押下した場合、モニタ１１０の電源状態切替部は、モニタ１１０の電源の状態を「ＯＮ」、「ＯＦＦ」、あるいは「ＳＴＢＹ（スタンバイ）」に切り替える。
【０１５２】
一方、ユーザがリモコン２５０の電源ボタンを押下した場合、モニタ１１０の電源状態切替部は、モニタ１１０の電源の状態を「ＯＮ」あるいは「ＳＴＢＹ（スタンバイ）」に切り替える。
【０１５３】
すなわち、リモコン２５０の操作では、モニタ１１０の電源の状態を「ＯＦＦ」に切り替えることができないことになる。
【０１５４】
さらに、モニタ１１０の電源状態切替部は、モニタ１１０の電源の状態を切り替える際、その時に設定されている電源スイッチモード設定によっても、異なる切り替え動作を行う。
【０１５５】
（電源スイッチモード）
本実施形態において、モニタ１１０には、電源スイッチモードとして「モード１」または「モード２」が設定され得る。「モード１」は、本体の電源ボタンによる「ＯＦＦ」への切り替えを禁止するモードである。「モード２」は、本体の電源ボタンによる「ＯＦＦ」への切り替えを許可するモードである。
【０１５６】
例えば、「モード１」が設定されている場合において、電源の状態が「ＯＮ」のとき、本体の電源ボタンが押下されると、モニタ１１０の電源状態切替部は、電源の状態を「ＳＴＢＹ（スタンバイ）」に切り替える。
【０１５７】
一方、「モード２」が設定されている場合において、電源の状態が「ＯＮ」のとき、本体の電源ボタンが押下されると、モニタ１１０の電源状態切替部は、電源の状態を「ＯＦＦ」に切り替える。
【０１５８】
また、「モード１」が設定されている場合において、電源の状態が「ＳＴＢＹ（スタンバイ）」のとき、本体の電源ボタンが押下されると、モニタ１１０の電源状態切替部は、電源の状態を「ＯＮ」に切り替える。
【０１５９】
一方、「モード２」が設定されている場合において、電源の状態が「ＳＴＢＹ（スタンバイ）」のとき、本体の電源ボタンが押下されると、モニタ１１０の電源状態切替部は、電源の状態を「ＯＦＦ」に切り替える。
【０１６０】
この電源スイッチモードの設定は、その内容を示す設定情報として、モニタ１１０が備えるメモリ等の記録媒体に格納されており、この設定情報には、ユーザが任意のモードを設定することができる。
【０１６１】
（ＳＴＢ１２０の電源の状態の遷移）
一方、図１１に示すとおり、ＳＴＢ１２０の電源状態切替部も同様に、ＳＴＢ１２０の電源の状態を切り替える際、その時のＳＴＢ１２０の電源の状態によって、異なる切り替え動作を行う。
【０１６２】
また、ＳＴＢ１２０の電源状態切替部は、ＳＴＢ１２０の電源の状態を切り替える際、ユーザが本体に設けられた電源ボタンを押下した場合と、モニタ１１０から制御信号を受信した場合とで、異なる切り替え動作を行う。
【０１６３】
例えば、ユーザが本体の電源ボタンを押下した場合、ＳＴＢ１２０の電源状態切替部は、ＳＴＢ１２０の電源の状態を「ＯＮ」または「ＯＦＦ」に切り替える。
【０１６４】
一方、モニタ１１０から制御信号を受信した場合、ＳＴＢ１２０の電源状態切替部は、ＳＴＢ１２０の電源の状態を「ＯＮ」あるいは「ＳＴＢＹ（スタンバイ）」に切り替える。
【０１６５】
すなわち、モニタ１１０の電源の状態の切り替えとの連動では、ＳＴＢ１２０の電源の状態は「ＯＦＦ」に切り替わらないことになる。
【０１６６】
（電源の状態の連動）
すでに説明したとおり、ＳＴＢ１２０は、モニタ１１０と連動して、電源状態を切り替えることができる。以下、図１２を参照して、その具体的な動作を説明する。
【０１６７】
図１２は、実施形態に係るモニタ１１０の電源の状態遷移と、ＳＴＢ１２０の電源の状態の遷移との関係を示す図である。
【０１６８】
図１２に示すように、モニタ１１０の電源の状態遷移のパターン毎に、ＳＴＢ１２０の電源の状態遷移は決定されている。ＳＴＢ１２０の電源の状態は、この設定にしたがって切り替わる。この図１２にも示されているように、ＳＴＢ１２０の電源の状態は、モニタ１１０との連動によっては、「ＯＮ」あるいは「ＳＴＢＹ（スタンバイ）」に切り替わるが、「ＯＦＦ」に切り替わらない。
【０１６９】
ここで、図１２に示したＳＴＢ１２０の電源の状態の遷移は、ＳＴＢ１２０の電源の状態が、ここに示す遷移前の状態になっていることが前提である。ＳＴＢ１２０の電源の状態が、遷移前の状態になっていない場合は、ＳＴＢ１２０の電源の状態の遷移は起こらない。
【０１７０】
例えば、図１２には、モニタ１１０の電源の状態が「ＯＮ」から「ＳＴＢＹ（スタンバイ）」に切り替わると、これに連動して、ＳＴＢ１２０の電源の状態は、「ＯＮ」から「ＳＴＢＹ（スタンバイ）」に切り替わることが示されている。
【０１７１】
しかしながら、ＳＴＢ１２０の電源の状態が、既に「ＳＴＢＹ（スタンバイ）」になっていたり、「ＯＦＦ」になっていたりする場合、ＳＴＢ１２０は、電源の切り替え動作を行わない。
【０１７２】
（通信異常時の動作）
ここで、ＳＴＢ１２０は、モニタ１１０に対し、定期的に通信接続の確認のための無線通信を行っている。例えば、ＳＴＢ１２０は、３秒毎に、上記無線通信を行っている。ＳＴＢ１２０の電源状態切替部は、この無線通信を監視している。そして、ＳＴＢ１２０の電源状態切替部は、この無線通信の異常を検出すると、ＳＴＢ１２０の電源の状態を「ＳＴＢＹ（スタンバイ）」に切り替える。
【０１７３】
ＳＴＢ１２０は、「ＳＴＢＹ（スタンバイ）」に切り替えられた後も、モニタ１１０に対し、上記無線通信を再試行する。モニタ１１０は、この再試行による無線通信を正常に受信すると、ＳＴＢ１２０に対して、電源の状態を「ＯＮ」に切り替えるための制御信号を送信する。ＳＴＢ１２０がこの制御信号を受信すると、ＳＴＢ１２０の電源状態切替部は、ＳＴＢ１２０の電源の状態を「ＯＮ」に切り替える。
【０１７４】
なお、ＳＴＢ１２０は、ペアリング中は上記通信異常時の動作を行わない。ここでいう「ペアリング」とは、機器同士を互いに通信相手として紐付けるための動作を示す。例えば、製品の出荷時には、モニタ１１０とＳＴＢ１２０は、互いに紐付けがなされていない。そこで、モニタ１１０とＳＴＢ１２０とのペアリングをおこなうことにより、モニタ１１０とＳＴＢ１２０とが互いに通信相手として紐付けられ、互いに通信を行うことが可能となる。
【０１７５】
（バッテリー状態通知部）
次に、モニタ１１０のバッテリー状態通知部としての機能について説明する。モニタ１１０のバッテリー状態通知部は、バッテリーユニット４０２の充電状態や電池残量をユーザに通知する。以下、モニタ１１０のバッテリー状態通知部の制御による、バッテリーユニット４０２の充電状態および電池残量の通知例を具体的に説明する。
【０１７６】
（バッテリー状態アイコンの表示）
モニタ１１０は、バッテリーユニット４０２の充電状態および電池残量を示すアイコン（以下、「バッテリー状態アイコン」と示す。）を、ディスプレイ２１９に表示する。図１３は、実施形態に係るモニタ１１０が表示するバッテリー状態アイコンの一例を示す。
【０１７７】
図１３に示すように、モニタ１１０は、バッテリーユニット４０２の充電状態および電池残量をユーザが認識できるように、その充電状態および電池残量が図示されたバッテリー状態アイコンを表示する。
【０１７８】
図１４は、実施形態に係るモニタ１１０によるバッテリー状態アイコンの表示例を示す。図１４に示す例では、ディスプレイ２１９の画面の右上において、アイコン１４０２およびアイコン１４０４が並べて表示されている。アイコン１４０２は、バッテリー状態アイコンである。アイコン１４０４は、無線通信の受信強度を示すアイコンである。
【０１７９】
モニタ１１０は、バッテリー状態アイコンを常にディスプレイ２１９に表示するようにしても良い。また、モニタ１１０は、何らかの設定や条件に基づき、バッテリー状態アイコンを表示する／しないを切り替えるようにしても良い。
【０１８０】
例えば、バッテリー状態アイコンを表示するか否かの設定を予めユーザに行わせておき、この設定に基づき、バッテリー状態アイコンを表示する／しないを切り替えるようにしても良い。また、ディスプレイ２１９に表示されている画面の種類に応じて、バッテリー状態アイコンを表示する／しないを切り替えるようにしても良い。
【０１８１】
なお、モニタ１１０は、バッテリーユニット４０２が充電中でも使用中でもない場合には、バッテリー状態アイコンを表示しない。
【０１８２】
（バッテリー残量メッセージの表示）
モニタ１１０は、バッテリーユニット４０２の電池残量が所定値を下回ると、その旨を示す所定のメッセージが示された画面（以下、「バッテリー残量警告画面」と示す。）をディスプレイ２１９に表示する。ここで、モニタ１１０には、上記所定値が段階的に複数設けられている。モニタ１１０は、バッテリーユニット４０２の電池残量が上記各所定値を下回る毎に、所定のバッテリー残量警告画面をディスプレイ２１９に表示する。この例では、モニタ１１０には、上記所定値として、５％、３％、および１％が設定されている。すなわち、モニタ１１０は、バッテリーユニット４０２の電池残量が５％、３％、および１％を下回る毎に、所定のバッテリー残量警告画面をディスプレイ２１９に表示する。
【０１８３】
図１５および１６は、実施形態に係るモニタ１１０が表示するバッテリー残量警告画面の一例を示す。このうち、図１５に示す画面１５００は、バッテリーユニット４０２の電池残量が５％または３％を下回った場合に表示されるバッテリー残量警告画面であり、バッテリーユニット４０２の電池残量が少なくなったので、電源コードを接続することを促すメッセージが示されている。
【０１８４】
モニタ１１０がバッテリー駆動されている場合において、バッテリーユニット４０２の電池残量が５％を下回った場合、モニタ１１０は、図１５に示すバッテリー残量警告画面をディスプレイ２１９に表示する。
【０１８５】
その後、さらにバッテリーユニット４０２の電池残量が低下し、バッテリーユニット４０２の電池残量が３％を下回った場合、モニタ１１０は、図１５に示すバッテリー残量警告画面をディスプレイ２１９にさらに表示する。
【０１８６】
なお、モニタ１１０は、電源がオンに切り替えられたときに、バッテリーユニット４０２の電池残量が５％を下回っている場合も同様に、図１５に示すバッテリー残量警告画面をディスプレイ２１９に表示する。
【０１８７】
上記のとおりバッテリー残量警告画面が表示された後、以下（１）〜（４）のいずれかに該当することとなった場合、モニタ１１０は、当該バッテリー残量警告画面の表示を消去する。（１）所定時間経過した場合。モニタ１１０は、この所定時間として１５秒を採用しているが、これに限定するものではない。（２）上記メッセージを確認したことを意味する所定の操作をユーザが行った場合（例えば、図１５に示す「確認」ボタンが押下された場合）。（３）表示中にさらにバッテリーユニット４０２の電池残量が低下し、次のバッテリー残量警告画面が表示される場合。（４）外部電源の供給が開始された場合。
【０１８８】
一方、図１６に示す画面１６００は、バッテリーユニット４０２の電池残量が１％を下回った場合に表示されるバッテリー残量警告画面であり、バッテリーユニット４０２の電池残量が少なくなったので、電源を自動的にオフすることを通知するメッセージが示されている。
【０１８９】
具体的に説明すると、モニタ１１０がバッテリー駆動されている場合において、バッテリーユニット４０２の電池残量が１％を下回った場合、モニタ１１０は、図１６に示すバッテリー残量警告画面をディスプレイ２１９に表示する。
【０１９０】
上記のとおりバッテリー残量警告画面が表示された後、以下（５），（６）のいずれかに該当することとなった場合、モニタ１１０は、当該バッテリー残量警告画面の表示を消去する。（５）所定時間経過した場合。モニタ１１０は、この所定時間として１５秒を採用しているが、これに限定するものではない。（６）外部電源の供給が開始された場合。
【０１９１】
（自動電源オフ機能）
ここで、モニタ１１０は、バッテリーユニット４０２の電池残量が少なくとなると、自動的に電源をオフにする機能を有している。この実施形態では、モニタ１１０は、バッテリーユニット４０２の電池残量が１％を下回り、図１６に示したメッセージを表示した後、外部電源の供給が開始されることなく所定時間が経過すると、自動的に電源をオフにする。
【０１９２】
このときの電源の状態は、図１１に示したように、モニタ１１０の電源の状態が「ＯＮ」となっている時に、本体の電源ボタンが押下された場合と同様に遷移する。すなわち、「モード１」が設定されている場合、電源の状態は「ＳＴＢＹ（スタンバイ）」に切り替えられ、「モード２」が設定されている場合、電源の状態は「ＯＦＦ」に切り替えられる。
【０１９３】
（電源オン禁止機能）
また、モニタ１１０は、バッテリーユニット４０２の電池残量が所定値以下のとき、電源ボタンが押下されたとしても電源をオンにしない機能を有している。この実施形態では、モニタ１１０は、バッテリーユニット４０２の電池残量が２％を下回ったとき、電源ボタンが押下されたとしても電源をオンにしない。
【０１９４】
具体的には、モニタ１１０の電源状態が「ＯＦＦ」のとき、電源ボタンが押下されると、モニタ１１０は、電源状態として「ＯＦＦ」を継続する。
【０１９５】
また、モニタ１１０の電源状態が「ＳＴＢＹ（スタンバイ）」のとき、電源ボタンが押下されると、モニタ１１０は、電源状態として「ＳＴＢＹ（スタンバイ）」を継続する。但し、電源スイッチモードとして「モード２」が設定され、かつ、モニタ１１０の本体に設けられた電源ボタンが押下された場合、モニタ１１０は、電源状態を「ＳＴＢＹ（スタンバイ）」から「ＯＦＦ」へ切り替える。
【０１９６】
（バッテリー充電状態の通知）
モニタ１１０は、バッテリーユニット４０２の充電状態をユーザが認識できるように、バッテリーユニット４０２の充電状態に応じて、その状態に応じたパターンでインジケータ２２０（ＬＥＤ照明）を点灯させる。このインジケータ２２０は、モニタ１１０の本体１０２の外面に設けられている。
【０１９７】
図１７は、実施形態に係るモニタ１１０におけるバッテリーユニット４０２の充電状態とインジケータ２２０の点灯パターンとの対応関係を示す。図１７に示すように、モニタ１１０は、バッテリーユニット４０２の充電状態をユーザが認識できるように、バッテリーユニット４０２の充電状態に応じて、その状態に応じたパターンでインジケータ２２０を点灯させる。
【０１９８】
特に、モニタ１１０は、充電中か否かをユーザが認識できるように、インジケータ２２０の点灯パターンを異ならせる。この例では、モニタ１１０は、インジケータ２２０を点灯／消灯することにより、充電中か否かをユーザが認識できるようにしている。
【０１９９】
また、モニタ１１０は、充電中に何らかの異常が生じている場合、その異常の内容をユーザが認識できるように、インジケータ２２０の点灯パターンを異ならせる。この例では、モニタ１１０は、温度異常とバッテリー異常とでインジケータ２２０の点滅周期を異ならせることにより、異常の内容をユーザが認識できるようにしている。
【０２００】
ここでいう「温度異常」とは、バッテリーユニット４０２の温度に異常が生じたことを意味する。例えば、モニタ１１０は、バッテリーユニット４０２との通信を行い、温度異常を示す信号をバッテリーユニット４０２から受信すると、バッテリーユニット４０２に温度異常が生じたと判断する。
【０２０１】
一方、「バッテリー異常」とは、バッテリーユニット４０２自身の異常、又は、バッテリーユニット４０２との通信に異常が生じたことを意味する。例えば、モニタ１１０は、バッテリーユニット４０２との通信により、何らかの異常を示す信号をバッテリーユニット４０２から受信したり、バッテリーユニット４０２から何ら信号を受信できなかった場合等に、バッテリーユニット４０２に異常が生じたと判断する。
【０２０２】
なお、図１７は、アダプタからの電力の供給がある場合のインジケータ２２０の点灯状態を示したものであり、アダプタからの電力の供給がない場合には、インジケータ２２０を点灯しない。
【０２０３】
（バッテリー駆動時の照明輝度設定）
モニタ１１０は、ディスプレイ２１９の照明（バックライト）の明るさに関する複数のモードを有する。モニタ１１０は、各モードの設定に応じて、バッテリー駆動時における、ディスプレイ２１９の照明の明るさを異ならせることができる。
【０２０４】
図１８は、実施形態に係るモニタ１１０におけるディスプレイ２１９の明るさの設定を示す。図１８に示すように、本実施形態のモニタ１１０は、ディスプレイ２１９の照明の明るさの設定モードとして「モード１」、「モード２」、および「モード３」を有する。そして、モニタ１１０には、モード毎に、ディスプレイ２１９の照明の明るさの設定値が設定されている。
【０２０５】
「モード１」は、ディスプレイ２１９の照明の明るさを抑えるモードである。「モード２」は、ディスプレイ２１９の照明の明るさをより強く抑えるモードである。「モード３」は、ディスプレイ２１９の照明の明るさを最大にするモードである。このモード設定は、その内容を示す設定情報として、モニタ１１０が備えるメモリ等の記録媒体に格納されている。
【０２０６】
ユーザは、例えば、リモコン２５０を操作することにより、「モード１」、「モード２」、または「モード３」のいずれか任意のモードを選択して有効にすることができる。モニタ１１０は、この設定情報を読み取ることにより、いずれのモードで動作すべきかを判断する。
【０２０７】
図１８に示す明るさ設定では、外部電源の供給がある場合、いずれのモードにおいても明るさとして「３５０ｃｄ／ｍ２」が設定されている。一方、外部電源の供給がない場合（すなわち、バッテリー駆動時の場合）、モードによって異なる明るさが設定されている。この明るさ設定は、その内容を示す設定情報として、モニタ１１０が備えるメモリ等の記録媒体に格納されている。
【０２０８】
例えば、バッテリー駆動に切り替えられた場合において、「モード１」が設定されている場合、モニタ１１０は、照明の明るさを「２００ｃｄ／ｍ２」にする。また、「モード２」が設定されている場合、モニタ１１０は、照明の明るさを「１２０ｃｄ／ｍ２」にする。また、「モード３」が設定されている場合、モニタ１１０は、照明の明るさを「３５０ｃｄ／ｍ２」にする。
【０２０９】
（明るさの調整）
なお、上記明るさは、各モードが取り得る最大の明るさを示している。いずれのモードにおいても、ユーザは、上記明るさを最大値として、照明の明るさを複数段階で調整することができる。
【０２１０】
例えば、いずれのモードにおいても、ユーザは、照明の明るさを−１６〜＋１６の間で調整することができる。「−１６」は、照明が最も暗くなる値であり、「＋１６」は、照明が最も明るくなる値（すなわち、図１８に示された明るさになる値）である。
【０２１１】
ここで、モードによって最大の明るさは異なるが、調整段階数は変わらない。すなわち、調整段階の変化に伴う明るさの変化量は、モードによって異なることとなる。
【０２１２】
（バッテリーオフモード）
これまでに説明した機能に加え、モニタ１１０は、バッテリーオフモードを有する。バッテリーオフモードとは、バッテリーユニット４０２からの電力の供給を遮断するモードである。これにより、バッテリーユニット４０２の電池残量が十分にあるとしても、バッテリーユニット４０２からの電力の供給が遮断されるので、例えＡＣアダプタ４０４が接続されていない状態で電源ボタンが押下されたとしても、モニタ１１０の電源の状態がＯＮになることはない。例えば、モニタ１１０は、製品出荷時に誤って電源の状態がＯＮにならないように、このバッテリーオフモードの状態になり得る。
【０２１３】
バッテリーオフモードの有効／無効は、制御回路２４０によって制御される。例えば、制御回路２４０は、製品出荷時に、バッテリーユニット４０２からの電源の供給経路上に設けられたスイッチ４１０をＬｏｗ制御することによりオフに切り替えておく。また、製品出荷時には、制御回路２４０は、スイッチ４０８の接続先を、ＡＣアダプタ４０４側に切り替えておく。これにより、モニタ１１０は、製品出荷時には、バッテリーオフモードの状態となる。この時、ＡＣアダプタ４０４およびバッテリーユニット４０２のいずれからも電力が供給されなくなるので、制御回路２４０はリセット状態となっている。
【０２１４】
製品出荷後、モニタ１１０の使用が開始されると、バッテリーオフモードは自動的に解除される。例えば、モニタ１１０において、ＡＣアダプタ４０４が接続されると、スイッチ４０８がＡＣアダプタ４０４側に接続されているので、ＡＣアダプタ４０４からモニタ１１０の装置各部に電力が供給される。これにより、制御回路２４０の動作が開始される。制御回路２４０は、動作を開始すると、スイッチ４１０をＨｉｇｈ制御することによりオンに切り替える。これにより、モニタ１１０は、バッテリーユニット４０２からの電力による駆動が可能となる。
【０２１５】
以降、制御回路２４０は、ＡＣアダプタ４０４が接続されると、スイッチ４０８の接続先をＡＣアダプタ４０４側に切り替え、ＡＣアダプタ４０４が取り外されると、スイッチ４０８の接続先をバッテリーユニット４０２側に切り替える。
【０２１６】
以降、モニタ１１０は、自動的にバッテリーオフモードになることはないが、ユーザが任意のタイミングで、モニタ１１０をバッテリーオフモードにすることができるようにしても良い。これにより、例えば、引越しや譲渡等を目的としてモニタ１１０を搬送する場合等において、モニタ１１０の電源が誤ってＯＮとなることを防止することができる。
（プログラム、記憶媒体）
実施形態で説明したテレビ１００の各機能は、集積回路（ＩＣチップ）上に形成された論理回路によってハードウェア的に実現してもよいし、ＣＰＵ（Central Processing Unit）を用いてソフトウェア的に実現してもよい。
【０２１７】
例えば、テレビ１００は、各機能を実現するプログラムの命令を実行するＣＰＵ、上記プログラムを格納したＲＯＭ（Read Only Memory）、上記プログラムを展開するＲＡＭ（Random Access Memory）、上記プログラム及び各種データを格納するメモリ等の各種記憶装置（記録媒体）を備えている。そして、上記ＣＰＵが、上記各種記憶装置に格納されているプログラムを読み出し、このプログラムを実行することによって、テレビ１００の各機能を実現することができる。
【０２１８】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類等を用いることができる。
【０２１９】
なお、上記プログラムは、通信ネットワークを介してテレビ１００に供給されてもよい。この通信ネットワークは、少なくとも上記プログラムをテレビ１００に伝送可能であればよく、その種類はどのようなものであっても良い。例えば、通信ネットワークとしては、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。
【０２２０】
また、上記プログラムをテレビ１００に供給するための伝送媒体としても、どのような種類のものを利用しても良い。例えば、伝送媒体として、ＩＥＥＥ１３９４、ＵＳＢ、電力線搬送、ケーブルＴＶ回線、電話線、ＡＤＳＬ（Asymmetric Digital Subscriber Line）回線等の有線によるものを利用しても良い。また、伝送媒体として、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ、携帯電話網、衛星回線、地上波デジタル網等の無線によるものを利用しても良い。
【０２２１】
（変形例）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２２２】
（機器）
実施形態においては、外部電源および二次電池の双方による駆動が可能な機器として、チューナが設けられていないモニタを採用する例を説明したが、上記機器は、少なくとも外部電源および二次電池の双方による駆動が可能なものであれば、どのようなものを採用しても良い。
【０２２３】
例えば、上記機器として、チューナが設けられているモニタを採用しても良い。他にも、上記機器として、ノートパソコン、携帯情報端末、携帯電話機、携帯ゲーム機、携帯ナビゲーション機、携帯音楽プレーヤ、携帯動画プレーヤ、電子ブック端末等、あらゆる機器を採用しても良い。
【０２２４】
（放電装置）
モニタ１１０は、放電推奨画面を表示した後、実際の放電はユーザの手作業を介してバッテリー駆動に切り替えることにより行うこととしたが、自動的に放電するようにしても良い。
【０２２５】
例えば、モニタ１１０は、自動的にバッテリー駆動に切り替えることにより、自動的に放電するようにしても良い。他の例として、外部電源によるモニタ１１０の駆動を継続しつつ、バッテリーの電力を消費する何らかの装置を動作させることにより、自動的に放電するようにしても良い。
【０２２６】
ここで、図１９を参照して、自動的に放電を行う構成の一例について説明する。図１９は、実施形態に係る電源部２２４の構成の変形例を示すブロック図である。図１９に示す電源部２２４は、バッテリーユニット４０２を放電する放電手段として機能するスイッチ４１２（ＳＷ３）をさらに備える点で、図４に示した電源部２２４と異なる。
【０２２７】
図４に示す電源部２２４において、スイッチ４０８（ＳＷ１）は、ＡＣアダプタ４０４から、当該スイッチ４０８（ＳＷ１）を介して、装置各部へ電力を供給するための、供給経路（以下、「第１の供給経路」と示す。）上に設けられている。
【０２２８】
一方、スイッチ４１２（ＳＷ３）は、バッテリーユニット４０２から、スイッチ４０８（ＳＷ１）を介さずに、装置各部へ電力を供給するための、供給経路（以下、「第２の供給経路」と示す。）上に設けられている。そして、スイッチ４１２（ＳＷ３）は、制御回路２４０の制御により、オン／オフ状態が切り替わることにより、上記第２の供給経路を接続／切断する。
【０２２９】
これにより、図１９に示す電源部２２４は、スイッチ４０８（ＳＷ１）がＡＣアダプタ４０４側に切り替わっている時であっても、スイッチ４１２（ＳＷ３）をオンに切り替えることにより、上記第２の供給経路を介して、バッテリーユニット４０２の電力を放電することができる。すなわち、本実施形態のモニタ１１０は、図１９に示すように電源部２２４を構成することにより、外部電源による当該モニタ１１０の駆動を継続しつつ、バッテリーユニット４０２の放電することができる。この場合、バッテリーユニット４０２から出力された電力は、外部電源によって駆動されている装置へ供給されてもよく、外部電源によって駆動されている装置とは別の装置へ供給されてもよい。
【０２３０】
なお、モニタ１１０は、自動的に放電する構成を採用する場合、自動的に放電する前に、放電するか否かをユーザに確認するための画面（以下、「放電確認画面」と示す。）を表示する等して、その要否をユーザに確認すると良い。
【０２３１】
ここで、図２０を参照して、放電確認画面の表示例を説明する。図２０は、実施形態に係るモニタ１１０が表示する放電確認画面の一例を示す。図２０に示す画面７１０は、放電確認画面である。この画面７１０には、バッテリーユニット４０２の放電を行うことを推奨する旨のメッセージ、および、バッテリーユニット４０２の放電を行うか否かをユーザに確認する旨のメッセージが示されている。例えば、モニタ１１０は、バッテリーユニット４０２の電池残量が所定値以上である状態が所定期間続くと、この画面７１０をディスプレイ２１９に表示する。
【０２３２】
図２０に示す例では、画面７１０には、バッテリーユニット４０２の放電を行うか否かをユーザが選択するためのボタン７１２およびボタン７１４が含まれている。ボタン７１２が選択されると、モニタ１１０は、バッテリー駆動に切り替えることにより、バッテリーユニット４０２の放電を行う。一方、ボタン７１４が選択されると、モニタ１１０は、外部電源駆動を継続し、バッテリーユニット４０２の放電を行わない。
【０２３３】
このように、本実施形態のモニタ１１０は、バッテリーユニット４０２の放電を行うか否かをユーザに選択させる構成を採用することもできる。これにより、ユーザの意思に反して、バッテリーユニット４０２が放電されてしまうことを防止することが可能となっている。
【０２３４】
（予備充電の範囲）
実施形態においては、予備充電の範囲の下限値として０％を採用しており、予備充電の範囲の上限値として８％を採用しているが、これらに限定するものではない。予備充電の範囲の下限値および上限値には、二次電池の種類や特性に応じて適切な値を採用すると良い。
【０２３５】
例えば、下限値としては、二次電池の電池残量がこれよりも下回ると、二次電池の劣化が促進されてしまうような値を設定するとよい。
【０２３６】
また、上限値としては、二次電池の予備充電回数ができるだけ少なくなるように、二次電池の電池残量が当該上限値から下限値まで自然放電により減少する期間が、ある程度の期間（例えば、３週間）を要するような値を設定すると良い。
【０２３７】
（予備充電の開始タイミング）
実施形態においては、二次電池の電池残量が所定の範囲（０％〜８％）の下限値まで減少すると、二次電池の予備充電を開始することとしたが、二次電池の電池残量が下限値まで達しなくとも、上記範囲であれば、二次電池の予備充電を行うようにしても良い。この場合でも、二次電池の電池残量を上記範囲内に維持することができるという点では、実施形態と同様である。
【０２３８】
（充電装置および充電制御装置の装置形態）
実施形態において、二次電池を充電する充電装置（実施形態では、充電回路４０６）と、二次電池の充電を制御する充電制御装置（実施形態では、制御回路２４０の充電制御部）とが、二次電池によって駆動される機器（実施形態では、モニタ１１０）そのものに内蔵されている例を説明したが、充電装置または充電制御装置との少なくともいずれか一方は、二次電池によって駆動される機器の外部に設けられていても良い。
【０２３９】
（通知形態）
実施形態では、充電しないことを推奨すること、および放電することを推奨することの各々について、その旨のメッセージをディスプレイに表示することによってユーザに通知することとしたが、音声出力等の他の通知形態によって、充電しないことを推奨すること、または放電することを推奨することをユーザに通知するようにしても良い。
【０２４０】
以下、図２１および図２２を参照して、各種通知を音声出力によって行う例について説明する。図２１は、実施形態に係るモニタ１１０の構成の変形例を示すブロック図である。図２１に示すモニタ１１０は、音声出力による各種通知を実現可能とする音声処理部２７０およびスピーカー２７２をさらに備える点で、図２に示したモニタ１１０と異なる。
【０２４１】
図２１に示すモニタ１１０においては、充電制御部は、二次電池の満充電状態が長期間継続しないように、バッテリーユニット４０２の充電を行わないことを推奨する旨の音声（以下、「非充電推奨音声」と示す。）を、スピーカー２７２から出力することができる。
【０２４２】
また、図２１に示すモニタ１１０においては、充電制御部は、二次電池の満充電状態が長期間継続しないように、バッテリーユニット４０２の放電を行うことを推奨する旨の音声（以下、「放電推奨音声」と示す。）を、スピーカー２７２から出力することもできる。
【０２４３】
例えば、充電制御部は、音声処理部２７０に対し、非充電推奨音声に対応するデジタル音声信号、および放電推奨音声に対応するデジタル音声信号を出力する。音声処理部２７０は、供給されたデジタル音声信号に対し、ＤＡ変換、増幅、ノイズ除去等の各種音声処理を行うことにより、上記デジタル音声信号に対応するアナログ音声信号を生成し、生成したアナログ音声信号をスピーカー２７２に出力する。これにより、スピーカー２７２からは、非充電推奨音声および放電推奨音声が音声出力されることとなる。
【０２４４】
図２２は、実施形態に係る充電制御部による充電制御処理の手順の変形例を示すフローチャートである。図２２は、図２１に示したモニタ１１０における充電制御処理の手順を示す。この図２２に示す手順は、ステップ６１２の代わりにステップＳ６１２’が設けられている点、および、ステップ６２６の代わりにステップＳ６２６’が設けられている点で、図６に示した充電制御処理の手順と異なる。
【０２４５】
すなわち、図２１に示したモニタ１１０においては、ステップＳ６１０において、満充電期間が３０日を経過したと判断した場合（ステップＳ６１０：Ｙｅｓ）、充電制御部は、非充電推奨音声をスピーカー２７２から出力する（ステップＳ６１２’）。例えば、充電制御部は、非充電推奨音声として、「長時間バッテリーを使用になっていないようです。この場合、バッテリーに充電しない設定にしておくことをおすすめします。」というような音声を出力する。
【０２４６】
また、図２１に示したモニタ１１０においては、ステップＳ６２４において、満充電期間が１４日を経過したと判断した場合（ステップＳ６２４：Ｙｅｓ）、充電制御部は、放電推奨音声をスピーカー２７２から出力する（ステップＳ６２６’）。例えば、充電制御部は、放電推奨音声として、「バッテリーを長くお使いいただくために、バッテリーが残り少なくなるまで、電源コードを抜いてテレビをご使用ください。」というような音声を出力する。
【０２４７】
このように、本実施形態のモニタ１１０は、ユーザに対する各種通知を、音声出力によって行う構成を採用することもできる。これにより、モニタ１１０は、ユーザに対し、聴覚的にも各種情報を通知することができ、したがって、ユーザに対する各種情報の伝達性をより高めることができる。
【０２４８】
なお、図２２に示す例では、充電制御部は、非充電推奨画面（図７参照）を表示する代わりに、非充電推奨音声を出力しているが、例えば、非充電推奨画面を表示するとともに、非充電推奨音声を出力してもよい。
【０２４９】
また、充電制御部は、放電推奨画面（図８参照）を表示する代わりに、放電推奨音声を出力しているが、例えば、放電推奨画面を表示するとともに、放電推奨音声を出力してもよい。
【０２５０】
また、モニタ１１０は、各種通知を画面表示によって行うか、音声出力によって行うか、または画面表示と音声出力との双方によって行うか等、各種通知の通知方法をユーザが任意に設定できるように構成されていてもよい。この場合、モニタ１１０は、通知内容毎に、通知方法を設定できるように構成されていてもよい。
【産業上の利用可能性】
【０２５１】
本発明は、バッテリー駆動が可能な機器に用いられる二次電池の充電を制御することができる充電制御装置、充電制御方法、充電制御プログラム、および記録媒体に適用することができる。
【符号の説明】
【０２５２】
１００  テレビ（テレビジョン受像機）
１１０  モニタ（外部電源および二次電池の双方による駆動が可能な機器）
１２０  ＳＴＢ
２２４  電源部
２４０  制御回路（充電制御部、第１の通知部、第２の通知部）
４０２  バッテリーユニット（二次電池）
４０４  ＡＣアダプタ（外部電源）
４０６  充電回路
４０８  スイッチ
４１０  スイッチ
【図１】
2012239372.tif 000003
【図２】
2012239372.tif 000004
【図３】
2012239372.tif 000005
【図４】
2012239372.tif 000006
【図５】
2012239372.tif 000007
【図６】
2012239372.tif 000008
【図７】
2012239372.tif 000009
【図８】
2012239372.tif 000010
【図９】
2012239372.tif 000011
【図１０】
2012239372.tif 000012
【図１１】
2012239372.tif 000013
【図１２】
2012239372.tif 000014
【図１３】
2012239372.tif 000015
【図１４】
2012239372.tif 000016
【図１５】
2012239372.tif 000017
【図１６】
2012239372.tif 000018
【図１７】
2012239372.tif 000019
【図１８】
2012239372.tif 000020
【図１９】
2012239372.tif 000021
【図２０】
2012239372.tif 000022
【図２１】
2012239372.tif 000023
【図２２】
2012239372.tif 000024
【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
外部電源および二次電池の双方による駆動が可能な機器に用いられる前記二次電池の充電を制御する充電制御装置であって、
前記機器に対して前記外部電源から電力が供給されているとき、当該外部電源からの電力による前記二次電池の主充電を行う第１のモードと、
前記機器に対して前記外部電源から電力が供給されているときであっても、当該外部電源からの電力による前記二次電池の主充電を行わない第２のモードと
を有し、
前記第２のモードにある場合、前記二次電池の放電を行うことを推奨する旨をユーザに通知する第２の通知部を備える
ことを特徴とする充電制御装置。
【請求項２】
前記第２の通知部は、
前記第２のモードにある状態が所定期間継続した場合において、前記二次電池の電池残量が所定の上限値を超えている場合、前記二次電池の放電を行うことを推奨する旨をユーザに通知する
ことを特徴とする請求項１に記載の充電制御装置。
【請求項３】
前記第２の通知部が前記二次電池の放電を行うことを推奨する旨をユーザに通知した後、前記二次電池の放電を行う放電手段
をさらに備えることを特徴とする請求項１または２に記載の充電制御装置。
【請求項４】
前記第１のモードにあり、かつ前記機器に対して前記外部電源から電力が供給されている状態が所定期間継続した場合、前記第２のモードに切り替えることを推奨する旨をユーザに通知する第１の通知部を備える
ことを特徴とする請求項１から３のいずれか一項に記載の充電制御装置。
【請求項５】
前記二次電池の電池残量が所定の範囲内にある場合、前記二次電池に対する予備充電を行う
ことを特徴とする請求項１から４のいずれか一項に記載の充電制御装置。
【請求項６】
前記電池残量が前記範囲の下限値まで減少した場合、前記予備充電を開始する
ことを特徴とする請求項５に記載の充電制御装置。
【請求項７】
前記第１のモードにおいては、前記外部電源と前記二次電池とを電気的に接続することにより、前記二次電池の主充電を行い、
前記第２のモードにおいては、前記外部電源と前記二次電池とを電気的に切断することにより、前記二次電池の主充電を行わない
ことを特徴とする請求項１から６のいずれか一項に記載の充電制御装置。
【請求項８】
請求項１から７のいずれか一項に記載の充電制御装置を備えたことを特徴とするテレビジョン受像機。
【請求項９】
外部電源および二次電池の双方による駆動が可能な機器に用いられる前記二次電池の充電を制御する充電制御方法であって、
前記機器に対して前記外部電源から電力が供給されているとき、当該外部電源からの電力による前記二次電池の主充電を行う第１のモードと、
前記機器に対して前記外部電源から電力が供給されているときであっても、当該外部電源からの電力による前記二次電池の主充電を行わない第２のモードと
を有し、
前記第２のモードにある場合、前記二次電池の放電を行うことを推奨する旨をユーザに通知する第２の通知工程を含む
ことを特徴とする充電制御方法。